(57)【要約】【課題】本発明はデータが記録されているか否かが不確かな記録再生再生領域を有するディスクにおいても再生信号の振幅調整を可能とするものである。【解決手段】光ディスクから信号を再生する光ディスク装置において、書換え可能な光ディスクのエンボス領域から得られた再生信号が所定の振幅となるよう再生信号の振幅調整を行う第１の手段（ＳＴ１１）と、この第１の手段による振幅調整の調整値に所定の比率を乗じた値を用いて書換え可能な光ディスクの書換え可能領域から得られる再生信号の振幅調整を行う第２の手段とを有することを記録再生再生領域からの再生信号の振幅調整を可能とする。【選択図】    図４
2004164784.tif 000002
【特許請求の範囲】
【請求項１】
光ディスクから信号を再生する光ディスク装置において、
書換え可能な光ディスクのエンボス領域から得られた再生信号に基づき再生信号の振幅調整を行う第１の手段と、
この第１の手段による振幅調整の結果に基づいて書換え可能な光ディスクの書換え可能領域から得られる再生信号の振幅調整を行う第２の手段とを有することを特徴とする光ディスク装置。
【請求項２】
請求項１に記載の光ディスク装置において、上記第２の手段は第１の手段における再生信号の振幅調整値に一定の比率を乗じた値を用いて書換え可能領域から得られる再生信号の振幅調整を行うことを特徴とする光ディスク装置。
【請求項３】
請求項２に記載の光ディスク装置において、前記一定の比率は書換え可能な光ディスクの種別毎に予め記憶されている値を用いることを特徴とする光ディスク装置。
【請求項４】
請求項２に記載の光ディスク装置において、上記第１の手段はエンボス領域から得られた再生信号が所定の振幅となるように再生信号を増幅するアンプの利得を調整するものであり、上記第２の手段は第１の手段における再生信号の振幅調整値に所定の値を乗じた値を用いて書換え可能領域から得られる再生信号を増幅するアンプの利得を調整することを特徴とする光ディスク装置。
【請求項５】
光ディスクから再生した信号の振幅を調整する方法において、
書換え可能な光ディスクのエンボス領域から得られた再生信号に基づき再生信号の振幅調整を行う第１のステップと、
この第１のステップによる振幅調整の結果に基づいて書換え可能な光ディスクの書換え可能領域から得られる再生信号の振幅調整を行う第２のステップとを有することを特徴とする再生信号の振幅調整方法。
【請求項６】
請求項５に記載の再生信号の振幅調整方法において、上記第２のステップは第１のステップにおける再生信号の振幅調整値に一定の比率を乗じた値を用いて書換え可能領域から得られる再生信号の振幅調整を行うことを特徴とする再生信号の振幅調整方法。
【請求項７】
請求項６に記載の光ディスク装置において、前記一定の比率は書換え可能な光ディスクの種別毎に予め記憶されている値を用いることを特徴とする再生信号の振幅調整方法。
【請求項８】
請求項６に記載の光ディスク装置において、上記第１のステップはエンボス領域から得られた再生信号が所定の振幅となるように再生信号を増幅するアンプの利得を調整するものであり、上記第２のステップは第１のステップにおける再生信号の振幅調整値に所定の値を乗じた値を用いて書換え可能領域から得られる再生信号を増幅するアンプの利得を調整することを特徴とする再生信号の振幅調整方法。
【発明の詳細な説明】
【０００１】
【発明の属する技術分野】
本発明は、光ディスク装置、例えばコンピュータ・システム用のＣＤ（コンパクト・ディスク）ＲＯＭ駆動装置、ＤＶＤ（デジタルビデオディスク）駆動装置などの光ディスク再生装置およびＣＤ−Ｒ、ＣＤ−ＲＷ、ＤＶＤ−ＲＡＭなどの光ディスク再生装置に関するものである。
【０００２】
【従来の技術】
コンパクト・ディスクなどの光学的に記録再生可能な光ディスクに記録された情報データを、レーザービームを用いた光学式ピックアップにより読取って再生する光ディスク再生装置においては、再生対象となる光ディスクの種類あるいは製造上のばらつきに依存して反射膜のレーザービーム反射率が異なり、再生信号の振幅がばらつくこととなる。
【０００３】
最近の光ディスク装置、特に、ＤＶＤ−ＲＯＭドライブ等では多種の光ディスク（ＣＤ、ＣＤ−Ｒ、ＣＤ−ＲＷ、ＤＶＤ１層、ＤＶＤ２層、ＤＶＤ−Ｒ、ＤＶＤ−ＲＡＭ、ＤＶＤ−ＲＷなど）を再生するので、再生信号の振幅のばらつきが発生し易い。
【０００４】
そこで、ディスクから読取った情報信号のレベルに比例した信号をシステムコントローラ等に取り込み、情報信号のレベルを正確に調整し、情報データの再生能力を安定かつ高性能にするための振幅調整機能を光ディスク再生装置に持たせている（特許文献１参照）。
【０００５】
ＲＦ信号出力はＰＵＨの出力であるため、経年劣化する性質がある上、ＰＵＨのレンズ表面の汚れなどで、常にＲＦ信号出力は変動する可能性がある。そのため、ＲＦ振幅を出荷時にのみ調整したりするなど、固定値で使用することは出来ない。
【０００６】
そこで、従来ではメディアの入れ替え毎にＲＦ振幅調整が行われてきた。ＲＦ振幅調整は、今までのＲＯＭディスクに対しては、ＲＦリップルを利用するなどしてＲＦ信号の振幅を直接マイコンなどで計測し、目標となるＲＦ振幅レベルになるまである係数を変動させるなどしてＲＦ振幅の調整を行ってきた（特許文献１参照）。
【０００７】
しかしながら、ＤＶＤ−ＲＡＭディスクは書き換え型記録ディスクであるため、ＲＦ信号は記録されていない可能性が十分にある。本来、ＲＦ振幅調整はＲＦ信号を直接観測して調整を行うため、ＲＦ信号があることを前提に調整が行われる。
【０００８】
このため、ＲＦ信号があるかないか分からないディスクに対しては、従来から行われてきた調整方法では対処出来ないという問題があった。
【０００９】
【特許文献１】
特開２００１−１６７４４０号公報（第４−５頁、図１、図２）
【００１０】
【発明が解決しようとする課題】
本発明は上述したようなＲＦ信号が得られるかどうか分からないＤＶＤ−ＲＡＭディスクであっても、再生信号の振幅調整を可能とすることにある。
【００１１】
【課題を解決するための手段】本発明は上記課題を解決するために、光ディスクから信号を再生する光ディスク装置において、書換え可能な光ディスクのエンボス領域から得られた再生信号に基づき再生信号の振幅調整を行う第１の手段と、この第１の手段による振幅調整の結果に基づいて書換え可能な光ディスクの書換え可能領域から得られる再生信号の振幅調整を行う第２の手段とを備える。
【００１２】
【発明の実施の形態】
以下、本発明の実施の形態について図面を参照して説明する。
【００１３】
本実施形態は光ディスク装置に適応したものであり、ＤＶＤ−ＲＯＭドライブを例として説明する。
【００１４】
図１は本発明の第１の実施形態にかかるディスク装置の構造を概略的に示す図、図２このディスク装置に組込まれた光ピックアップの構成を示すブロック図である。
【００１５】
本実施形態のディスク装置は、図１に示すように、ディスク１を回転駆動するディスクモータ２と、ディスク１に記録された信号を読出すピックアップ３と、ピックアップ３をディスク１の半径方向に移動するフィードモータ４と、マイコン、信号処理回路等が搭載されたメイン基板とから主に構成されている。フィードモータ４にはモータの回転周波数、回転数あるいは回転方向などのモータの回転状態を検知する検知手段が設けられており、その検知手段からの出力信号を送りモータ駆動信号回路にて使用することにより、トラックサーチ時に送りモータを制御する。
【００１６】
ピックアップ３には、図２に示すように、レーザ光を発光する発光ダイオード５と、図示しないワイヤあるいは板バネによって支持され発光ダイオード５より発光されたレーザ光を収束しディスク１の表面に照射する対物レンズ６と、フォーカス方向又はトラッキング方向に対物レンズ５をそれぞれ移動制御するためのフォーカシングコイル７又はトラッキングコイル８と、ディスク１からの反射光を受光するディテクタ９と、ディスク１からの反射光をモニタし発光ダイオード５へフィードバックを行うモニタディテクタ１０が主に設けられている。
【００１７】
図３は上記ピックアップ３を含む回路ブロックを示す図であり、ピックアップ３で読み出された信号が供給されるＲＦアンプ１１と、ＲＦアンプ１１で増幅された信号が供給されるＤＳＰ（デジタル・シグナルプロセッサ）１２を有する。
【００１８】
図３に示されるように、ＲＦアンプ１１に接続されるピックアップ３は、４分割ディテクタ９と、ＣＤ用のトラックエラー信号作成のためのサブビームディテクタ１３、１４を有しており、更に、光ディスクに照射するレーザ光を発生する発光ダイオード５、発生したレーザ光と光ディスク１からの反射光を分離するスプリッタ１５と、対物レンズ６及び、４分割デテクタ９の手前に配置される集光レンズ１６とを有している。
【００１９】
発光ダイオード５から発せられる光ビームは、スプリッタ１５、対物レンズ６を介して光ディスク１上に照射され、光ディスク１からの反射光は、対物レンズ６、スプリッタ１５、集光レンズ１６を介して、４分割ディテクタ９に導かれる。
【００２０】
４分割ディテクタ９は、光検出セル９ａ、９ｂ、９ｃ、９ｄの４分割の受光素子から成る。
【００２１】
光検出セル９ａ、９ｂ、９ｃ、９ｄ並びにサブビームディテクター３３ａ、３３ｂの出力はＲＦアンプに入力され、このＲＦアンプは各信号を増幅して加算・減算を行い、トラッキングエラー信号（ＴＥ）、フォーカスエラー信号（ＦＥ）、ＲＦ信号、ＭＩＲＲ信号を出力する。
【００２２】
トラッキングエラー（ＴＥ）信号とフォーカスエラー（ＦＥ）信号は、光ディスクのＳｅｒｖｏ信号で光ＰＵＨのレンズのＳｅｒｖｏ動作を行う信号である。ＲＦ信号は読取った再生データ信号で、ＭＩＲＲ信号はＲＦ信号の包絡線（エンベロープ）である。
【００２３】
ＲＦ信号は光検出器９の光検出セル９ａ、９ｂ、９ｃ、９ｄの出力信号の加算により作成される。
【００２４】
即ち、光検出セル９ａ、９ｂ、９ｃ、９ｄの出力をそれぞれＡ、Ｂ、Ｃ、Ｄとすると、ＲＦアンプ１１は、ＲＦ＝Ａ＋Ｂ＋Ｃ＋Ｄなる信号により高周波信号ＲＦを生成する。
【００２５】
同様にＲＦアンプ１１はＦＥ＝（Ａ＋Ｃ）−（Ｂ＋Ｄ）なる信号によりフォーカスエラー信号ＦＥを生成し、又、ＴＥ＝（Ａ＋Ｂ）−（Ｃ＋Ｄ）なる信号によりトラッキングエラー信号ＴＥを生成する。
【００２６】
ミラー（ＭＩＲＲ）信号は、ＲＦ波形のピークとボトムを検知し｛（ピーク）−（ボトム）｝の演算をすることで作成される。このＭＩＲＲ信号は、レンズジャンプしたとき、つまり駆動コイル１１を用いてレンズをトラッキング方向に複数トラック分移動したとき、実際に何トラック移動したかを確認するために用いられる。
【００２７】
尚、ＣＤ再生時のトラックエラー（ＴＥ）信号は、サブビームディテクター１３の出力電流Ｅとサブビームディテクター１４の出力電流Ｆとの差演算（Ｅ−Ｆ）により作成される。
【００２８】
ＤＳＰ１２はＭＰＵ１７が接続されていてＤＳＰ１２はＭＰＵ１７からの指示に基づき動作する。又、ＤＳＰ１２には各種調整値を一時的に保持するレジスタ１２ａが設けられている。
【００２９】
次に、ＲＦ振幅の調整について説明する。光ディスク機器でのＲＦ振幅調整は、ＭＩＲＲ信号を基に目標となるＲＦ振幅値を目指して調整を行うものであり、具体的には、ＤＳＰ１２にあるＡＤ変換器で現状のＭＩＲＲ信号レベルを読取り、前もって設定された目標値と比較を行い、その結果をもとにしてＲＦアンプにおけるＲＦ振幅を調整する。
【００３０】
ＤＶＤ−ＲＡＭのような書き換え型記録メディアでは、ユーザー側でデータや映像などを自由に記録出来るため、メディアのどの位置にデータの記録が行われているのか不確かな面が多分にある。また、記録されている量に関しても、ＲＦ振幅調整が出来るくらい長いデータが記録されている保証はない。
【００３１】
ＤＶＤ−ＲＡＭメディアで確実にデータが記録されている領域は、ディスク情報などの基本的な情報が記録されているエンボス領域と、ディスクの位置（Ｈｅａｄｅｒ）情報が書込まれているＣＡＰＡ部分のみである。
この２つの領域は、ＤＶＤ−ＲＯＭとほぼ同じ特性を持つ書き換え不可能な部分で、特に内周部分に存在するエンボス領域は従来のＲＦ振幅調整が出来るくらい十分なデータが書込まれている。
【００３２】
一方、エンボス領域でのＲＦ振幅と記録領域でのＲＦ振幅との間では、ディスクに依らず一定の関係が成り立つことが一般的に知られており、このこのとは各種実験データからも裏付けられている。
【００３３】
そこで、本発明では、エンボス領域における調整結果に対して一定の比率（１．２乃至１．３）をかけ合せることにより、記録領域のＲＦ振幅調整値として用いる。
【００３４】
以下、ＲＦ振幅調整の基本概念を図４のフローチャートに基づいて説明する。
【００３５】
ＲＦ振幅調整を開始する場合、まずピックアップ３をディスクのエンボス領域に移動させ、ＤＳＰ１２はこのエンボス領域でＲＦ信号のＧａｉｎ調整を行う（ＳＴ１１）。
【００３６】
ここで、ＤＳＰ１２はシステムが対象としている各種ディスクのＲＦ信号のレベルをチェックし、このレベルが予め設定された目標値となるように前記ＲＦアンプ１１の利得を設定する。このために、ＤＳＰ１２は、前記したように検出された最新のピーク値とボトム値を読み込み、ピーク値とボトム値の差分値を計算することにより、ＲＦ振幅データ（ＲＦ信号レベル）を算出する。そして、内部に持っている基準レベルとＲＦ信号レベルを比較する。そして、この比較結果に応じてＲＦアンプ１１の利得を調整し、ＲＦ信号のレベルを一定に制御する。
【００３７】
次に、ＤＳＰ１２は前記ＲＦアンプ１１の利得を設定した値をＲＦ  Ｇａｉｎ調整値（Ａ）として図示しないメモリに記憶する（ＳＴ１２）。
【００３８】
そして、ＤＳＰ１２はＲＦ  Ｇａｉｎ調整値（Ａ）に所定値（１．２乃至１．３）を乗じ、記録再生可能領域のＲＦ  Ｇａｉｎ調整値（Ｂ）として記憶する（ＳＴ１３）。
【００３９】
従って、ピックアップ３が記録再生可能領域からのデータの読み取りを行う際には、ＲＦ  Ｇａｉｎ調整値（Ｂ）がＲＦアンプ１１に設定され、記録再生可能領域においても適正な振幅のＲＦ信号が得られることとなる。
【００４０】
次に、ＲＦ振幅調整の具体例を図５のフローチャートに基づいて説明する。
ＲＦ振幅調整に際しては、まず、トラッキングサーボをオン状態として、ピックアップ３の対物レンズ６の焦点をディスクのＢＣＡ領域直後のエンボス領域に移動させる（ＳＴ２０）。
【００４１】
そして、トラッキングエラー信号（ＴＥ）のバランス調整（ＴＢ調整）を行う（ＳＴ２１）。
【００４２】
次に、少なくともディスクからアドレス信号が読めるようにＲＦ信号のＧａｉｎ調整を行う（ＳＴ２２）。
【００４３】
エンボス領域は幅が０．４９ｍｍと短いため、長い調整時間を要する場合には、エンボス領域の終端に近づいて来てしまう。このため、再度、トラッキングサーボをオン状態として、ピックアップ３の対物レンズ６の焦点をディスクのＢＣＡ領域直後のエンボス領域に移動させる（ＳＴ２３）。
【００４４】
そして、フォーカスエラー信号（ＦＥ）のバランス調整（ＦＢ調整）を行い（ＳＴ２４）、ピックアップ３の対物レンズ６の焦点をディスクのエンボス領域の中央部に移動させ、かつトラッキングサーボをオフ状態とする（ＳＴ２５）。
そして、この状態でトラッキングエラー信号（ＴＥ）のバランス調整（ＴＢ調整）を行う（ＳＴ２６）。
【００４５】
ＴＢ調整が終了すると、トラッキングサーボをオン状態として、ピックアップ３の対物レンズ６の焦点をディスクのＢＣＡ領域直後のエンボス領域に移動させる（ＳＴ２７）。
そして、フォーカスエラー信号（ＦＥ）のゲイン調整（ＦＧ調整）を行う（ＳＴ２８）。
【００４６】
ＦＧ調整が終了すると、続いてＲＦ信号のＧａｉｎ調整を行う（ＳＴ２９）。以上のステップ２０（ＳＴ２０）乃至ステップ２９（ＳＴ２９）により、ディスクのエンボス領域における調整が完了する。
【００４７】
フォーカスエラー信号およびトラッキングエラー信号には、光学ヘッドの光学系やアナログ信号処理系のゲインバランスのばらつきによりサーボの基準レベルに対して偏る現象が現れる。このような偏りを放置すると、正しいサーボ制御ができなくなる。
【００４８】
そこで、フォーカスエラー信号に対してはＲＦ信号の振幅、トラッキングエラー信号に対してはトラッキングエラー信号の中心とサーボの基準レベルとの差をそれぞれ監視しながら、アナログ演算回路でのゲインバランスを変化させることによってフォーカスエラー信号およびトラッキングエラー信号のバランス（これらをそれぞれフォーカスバランス、トラッキングバランスという）を自動的に調整して上述した偏りを補正し、ＤＳＰ１２はこれらの調整結果をレジスタに記憶しておき、通常再生時にはこのレジスタに記憶されている調整結果を読み出してフォーカスサーボ系およびトラッキングサーボ系にそれぞれ設定することで、サーボに必要なフォーカスエラー信号およびトラッキングエラー信号が安定して出力されるようにしている。
【００４９】
従って、上記のディスクのエンボス領域における調整が完了すると、ＤＳＰ１２は、ＲＦ信号のＧａｉｎ調整値（Ａ）を含む各種調整値をレジスタに記憶する（ＳＴ３０）。
【００５０】
そして、レジスタに記憶したＲＦ信号のＧａｉｎ調整値（Ａ）を含む各種調整値に基づき、記録再生領域用の調整値を算出する。即ち、ＲＦ信号のＧａｉｎ調整についてはＲＦ信号のＧａｉｎ調整値（Ａ）に所定比率（１．２乃至１．３）を乗じた値を、記録再生可能領域のＲＦ  Ｇａｉｎ調整値（Ｂ）としてレジスタに記憶する（ＳＴ３１）。尚、ステップ３１ではＲＦ信号のＧａｉｎ調整について説明したが、フォーカスバランス、トラッキングバランス他の各種調整値についても同様である。
【００５１】
尚、エンボス領域での調整においては、フォーカスバランス、トラッキングバランスの調整を行うため、本実施形態では、図５に示したようにＲＦ信号の振幅調整は最後に行うようにしている。
【００５２】
次に、上記調整を行った後のディスクからのデータの再生動作について図６のフローチャートに基づいて説明する。
【００５３】
データを再生する場合、再生対象の領域が記録再生領域（リライタブルゾーン）であるか、エンボス領域であるかが判断される（ＳＴ４１）。
【００５４】
再生対象の領域が記録再生領域（リライタブルゾーン）であると判定されると、ＤＳＰ１２は記録再生可能領域のＲＦ  Ｇａｉｎ調整値（Ｂ）をレジスタから読み出してＲＦ３アンプ１１に対してＧａｉｎ調整を行う（ＳＴ４２）。
【００５５】
そして、記録再生領域用のＲＦ  Ｇａｉｎ調整が行われた状態で、記録再生可能領域からのデータの読出しが行われる（ＳＴ４３）。
【００５６】
一方、上記ステップ４１にて、再生対象の領域がエンボス領域であると判定されると、ＤＳＰ１２はエンボス領域のＲＦ  Ｇａｉｎ調整値（Ａ）をレジスタから読み出してＲＦ３アンプ１１に対してＧａｉｎ調整を行う（ＳＴ４４）。
【００５７】
そして、エンボス領域用のＲＦ  Ｇａｉｎ調整が行われた状態で、記録再生可能領域からのデータの読出しが行われる。
【００５８】
以上説明した本実施形態においては、ＲＦ信号の存在が不確かなＤＶＤ−ＲＡＭメディアのような書き換え型記録メディアに対してもＲＦ振幅調整が可能となり、ＤＶＤ−ＲＡＭメディアのような書き換え型記録メディアからのデータの読み取りも確実に行えることとなる。
【００５９】
以上の第１の実施形態においては、書き換え型記録メディア（ＤＶＤ−ＲＡＭ）の種類に関わらず、エンボス領域における調整値に一定の比率を乗じたものを各種調整に用いるようにしているが、ＤＶＤ−ＲＡＭにおいても４．７ＧＢのＤＶＤ−ＲＡＭと２．６ＧＢのＤＶＤ−ＲＡＭとが存在する。
【００６０】
書き換え型記録メディアのタイプが異なると、その特性も異なることから、エンボス領域における調整値に各調整に乗じる一定の比率を書き換え型記録メディアのタイプ毎に独立した値を用いることが好ましい。
【００６１】
以下、エンボス領域における調整値に各調整に乗じる一定の比率を書き換え型記録メディアのタイプ毎に独立した値を用いる、本発明の第２の実施形態について説明するが、第２の実施形態においても図１の斜視図、図２の光ピックアップの構成を示すブロック図、図３のピックアップを含む回路ブロック図は第１の実施形態と同一であるため、その説明は省略する。
【００６２】
図７は本発明の本発明の第２の実施形態に関わるディスク装置のフローチャートであり、ステップ２０（ＳＴ２０）乃至ステップ３０（ＳＴ３０）までは、第１の実施形態である図５と同一であるため同一部分の説明を省略する。
【００６３】
第２の実施形態では、ディスクのエンボス領域における調整が完了し、ＤＳＰ１２がＲＦ信号のＧａｉｎ調整値（Ａ）を含む各種調整値をレジスタに記憶すると（ＳＴ３０）、次にディスクのエンボス領域中のコントロールデータゾーンのデータを読む（ＳＴ５２）。
【００６４】
尚、エンボスドデータゾーンのコントロールデータゾーンには、適用されるＤＶＤ規格のタイプ（ＤＶＤ−ＲＯＭ、ＤＶＤ−ＲＡＭ、ＤＶＤ−Ｒ等）およびパートバージョンを示すブックタイプアンドパートバージョンと、ディスクサイズおよび最小読出レートを示すディスクサイズアンドミニマムリードアウトレート、１層ＲＯＭディスク，１層ＲＡＭディスク，２層ＲＯＭディスク等のディスク構造を示すディスクストラクチュア、記録密度を示すレコーディングデンシティ、データが記録されている位置を示すデータエリアアロケーション等が記憶されている。
【００６５】
従って、コントロールデータゾーンのコントロールデータを読むことによりディスクのタイプが正しく判別できることとなり、ＭＰＵ１７はディスクが４．７ＧＢのＤＶＤ−ＲＡＭであるのか２．６ＧＢのＤＶＤ−ＲＡＭであるのかを判別する（ＳＴ５２）。
【００６６】
そして、ディスクが４．７ＧＢのＤＶＤ−ＲＡＭであると判断された場合、ＤＳＰ１２はエンボス領域での調整により得られたＲＦ信号のＧａｉｎ調整値（Ａ）に所定値Ｃ１（１．２乃至１．３）を乗じた値を、記録再生可能領域のＲＦ  Ｇａｉｎ調整比率（Ｂ）としてレジスタに記憶する（ＳＴ５３）。
【００６７】
一方、ディスクが２．６ＧＢのＤＶＤ−ＲＡＭであると判断された場合、ＤＳＰ１２はエンボス領域での調整により得られたＲＦ信号のＧａｉｎ調整値（Ａ）に所定比率Ｃ２（１．２乃至１．３でＣ１とは異なる比率）を乗じた値を、記録再生可能領域のＲＦ  Ｇａｉｎ調整値（Ｂ）としてレジスタに記憶する（ＳＴ５３）。
【００６８】
尚、上記の所定の比率はレジスタ１２ａに予め記憶しておくか、ＭＰＵ１７からＤＳＰ１２へ供給されるかの何れでも良い。
【００６９】
このようにしてエンボス領域における調整値に乗じる一定の比率はＤＶＤ−ＲＡＭ４．７ＧメディアとＤＶＤ−ＲＡＭ２．６Ｇメディアで分けて行われる。
【００７０】
第２の実施形態により振幅調整が設定された後の再生動作については第１の実施形態にて説明した図６のフローチャートと同様であるため、その説明は省略する。
【００７１】
以上説明した第２の実施形態では、ＲＦ信号の存在が不確かなＤＶＤ−ＲＡＭメディアのような書き換え型記録メディアに対してもＲＦ振幅調整が可能となり、ＤＶＤ−ＲＡＭメディアのような書き換え型記録メディアからのデータの読み取りも確実に行えることとなるが、書き換え型記録メディアのタイプ毎に独立した値を用いるため、書き換え型記録メディアのタイプ毎に最適なＲＦ振幅調整が行える。
【００７２】
【発明の効果】
以上の様に、本発明によれば、書き換え型記録メディアに対して再生信号の振幅調整が可能となる。
【図面の簡単な説明】
【図１】本発明の実施形態に係わる。ディスク装置の構造を概略的に示す斜視図。
【図２】図１のディスク装置における光ピックアップの構成を示すブロック図。
【図３】図２のピックアップを含む回路ブロックを示す図。
【図４】本発明の第１の実施形態におけるＲＦ振幅調整の基本概念を説明するフローチャート。
【図５】本発明の第１の実施形態におけるＲＦ振幅調整を説明するフローチャート。
【図６】本発明の第２の実施形態における再生動作を説明するフローチャート。
【図７】本発明の第２の実施形態を説明するフローチャート。
【符号の説明】
３……ピックアップ
９……４分割ディテクタ
１３……ＲＦアンプ
１４……ＤＳＰ
ＲＦ……ＲＦ信号
【図１】
2004164784.tif 000003
【図２】
2004164784.tif 000004
【図３】
2004164784.tif 000005
【図４】
2004164784.tif 000006
【図５】
2004164784.tif 000007
【図６】
2004164784.tif 000008
【図７】
2004164784.tif 000009